(57)【要約】  【課題】  免震部材の据付けとその養生方法並びに養生用仮固定具を提供する。  【解決手段】  架台Ｋｃの構築には下部基礎の捨てコンクリートにアンカーフレームを高さ及び水平位置調整可能に固定して捨てベースプレートを精度高く設定する。その捨てベースプレート上に、免震部材５０のすべり支承板２３の角部に取り外し可能に固定するブラケット３３と、弾性すべり支承体５２の端板５１とを連結部材３２を含む養生用仮固定具３１で連結して免震部材５０を仮固定する。また、すべり支承板２３の上面は被覆材３０で覆って据付け養生をする。建物下層部が完成すると仮固定を解除し、取り外した養生用仮固定具３１は再利用する。  【選択図】  図２４
2005048523.tif 000002
【特許請求の範囲】
【請求項１】
建物の下部基礎が完成する前の捨てコンクリート上に、免震部材を配置すべき所定位置を定めて該所定位置に枠体を高さ及び水平位置を調整して固定し、この枠体内及び前記捨てコンクリート上に適宜の配筋をしてコンクリートを打設し養生することにより下部基礎を完成し、この下部基礎上で一部が露出した前記枠体の上部に捨てベースプレートを高さ及び水平方向の位置調整をして固定する一方、前記枠体を囲む型枠を配置するとともに、前記捨てベースプレートに開設したコンクリート注入孔及び前記型枠内にコンクリートを打設し養生することにより架台を構築した後、前記捨てベースプレート上に免震部材のすべり支承板又はベースプレートを固定することを特徴とする免震部材据付け方法。
【請求項２】
前記請求項１に記載の免震部材据付け方法において、前記枠体は、複数本の支柱を多角形の隅部に配して立設した状態でこれらの支柱を互いに連結部材で連結して枠体を形成し、この枠体の上部に捨てベースプレートを高さ及び水平位置調整可能及び取り外し可能に設けるとともに、前記支柱の下部に長ねじボルトを高さ及び水平位置調整可能に取り付けたアンカーフレームからなることを特徴とする免震部材据付け方法。
【請求項３】
建物の下部基礎が完成する前の捨てコンクリート上に、免震部材を配置すべき所定位置を定めて該所定位置にアンカーフレームの枠体を高さ及び水平位置を調整して固定し、この枠体内及び前記捨てコンクリート上に適宜の配筋をしてコンクリートを打設し養生することにより下部基礎を完成し、この下部基礎上で一部が露出した前記枠体の上部に捨てベースプレートを高さ及び水平方向の位置調整をして固定する一方、前記枠体を囲む型枠を配置するとともに、前記捨てベースプレートに開設したコンクリート注入孔及び前記型枠内にコンクリートを打設し養生することにより架台を構築した後、前記捨てベースプレート上にすべり支承板を載置し、このすべり支承板上にすべり支承体を有する免震部材を載置した後、この免震部材と前記すべり支承板の少なくとも四隅部とを連結部材で取外し可能に結んで仮固定することを特徴とする免震部材据付け養生方法。
【請求項４】
建物の下部基礎が完成する前の捨てコンクリート上に、免震部材を配置すべき所定位置を定めて該所定位置にアンカーフレームの枠体を高さ及び水平位置を調整して固定し、この枠体内及び前記捨てコンクリート上に適宜の配筋をしてコンクリートを打設し養生することにより下部基礎を完成し、この下部基礎上で一部が露出した前記枠体の上部に捨てベースプレートを高さ及び水平方向の位置調整をして固定する一方、前記枠体を囲む型枠を配置するとともに、前記捨てベースプレートに開設したコンクリート注入孔及び前記型枠内にコンクリートを打設し養生することにより架台を構築した後、前記捨てベースプレート上にすべり支承板を載置し、このすべり支承板上にすべり支承体を有する免震部材を載置した後、この免震部材と前記すべり支承板の少なくとも四隅部とを連結部材で取外し可能に結んで仮固定する一方、前記すべり支承板の上面を被覆材で覆うことを特徴とする免震部材据付け養生方法。
【請求項５】
建物の下部基礎上に構築した架台上に、免震部材を固定して少なくとも建物の下層部が完成するまでの間、当初の設定状態を維持させる免震部材据え付け養生方法において、
前記架台の捨てベースプレート上にすべり支承板を載置し、このすべり支承板上にすべり支承体を有する免震部材を載置した後、この免震部材と前記すべり支承板の少なくとも四隅部とを連結部材で取外し可能に結んで仮固定することを特徴とする免震部材据付け養生方法。
【請求項６】
建物の下部基礎上に構築した架台上に、免震部材を固定して少なくとも建物の下層部が完成するまでの間、当初の設定状態を維持させる免震部材据え付け養生方法において、
前記架台の捨てベースプレート上にすべり支承板を載置し、このすべり支承板上にすべり支承体を有する免震部材を載置した後、この免震部材と前記すべり支承板の少なくとも四隅部とを連結部材で取外し可能に結んで仮固定する一方、前記すべり支承板の上面を被覆材で覆うことを特徴とする免震部材据付け養生方法。
【請求項７】
前記請求項３から請求項６に記載の免震部材据付け養生方法の実施に直接使用する器具であって、前記すべり支承板の少なくとも四隅部に取り外し可能に連結するブラケットと、このブラケットと前記免震部材とを取り外し可能に結んでその免震部材を仮固定する連結部材とからなることを特徴とする繰り返し使用可能な免震部材据付け養生用仮固定具。
【発明の詳細な説明】
【技術分野】
【０００１】
この発明は、建物の下部基礎上に免震部材を据付け、その免震部材の上に建物を建築施工する際に、据付けた免震部材を位置ずれや損傷等から保護する方法並びに据付け養生用仮固定具に関するものである。
【背景技術】
【０００２】
建物の耐震設計に、免震部材を用いることが普及し、建物とその下部基礎との間に免震部材を介在させることにより、地震に際する振動を建物に直接伝えないようにしている。
【０００３】
この免震部材には種々のものが提供されているが、草創期の積層ゴム、鉛ダンパー及び鋼棒ダンパーを用いたものから、近時はこれらに、すべり支承や転がり支承を組み合わせたものが、例えば特許文献１に見られるように、ここ数年来増えている。
【特許文献１】特開平１１−１２５３０６号
【発明の開示】
【発明が解決しようとする課題】
【０００４】
上記の従来技術においては、とりわけ、すべり支承を組み合わせた免震部材は、所定面積の方形をした鋼板等のベースプレートに、ステンレス板を載せて一体的に固定してなるすべり支承板に、剛すべり支承体又は弾性すべり支承体がすべり移動可能に載置されて成る。
【０００５】
そして、前記すべり支承板は建物の下部基礎上に、要所々々で更に所定高さ及び所定面積で形成された架台上に固定される。この架台は、下部基礎の完成後に下部基礎よりも若干高く形成されるもので、その上面には前記すべり支承板を固定するための捨てベースプレートが水平に配置されている。
【０００６】
そこで、免震部材を用いた耐震設計の施工にあっては、例えば建物の四隅等の要所々々で、建物の下部基礎から突出して形成された架台の養生後に、前記すべり支承板を架台上の捨てベースプレートに載置固定し、かつ、そのすべり支承板上に剛又は弾性すべり支承体を載置する施工が一般的であった。
【０００７】
しかしながら、架台の構築に当たり、架台の高さは低くて配筋を手際よく行えるような構造でなく、捨てベースプレートの下部のアンカー等が複雑であることから、配筋作業性が悪く、作業能率が低下する。また、捨てベースプレートをアンカーに固定する際には水平レベルの要求精度が高いために、アンカーの設置に時間と手間を要してコスト上昇をもたらすのみならず、それでもベースプレートの位置と水平レベルが狂う不都合があった。
【０００８】
また、すべり支承体はすべり支承板に移動可能な状態で単に載置されているだけで、固定されていないために、免震部材の上に構築される建物の施工に伴う種々の振動や外的要因で、例えばすべり支承板の中心部に配置したすべり支承体が、その中心部から移動して位置ずれするような事態が生じ易いものである。
【０００９】
免震部材が当初に設定した所定位置から、たとえ僅かな距離で位置ずれしたとしても、耐震設計の効果に大きく悪影響を及ぼすことが知られている。つまり、設計した耐震機能の減殺が生じて建物寿命や安全性に大きい欠陥をもたらすのである。
【００１０】
さらに、免震部材上での建物の施工に際し、すべり支承板の盤面が損傷するようなことが生じれば、これまた設計した耐震性能の減殺が生じて建物寿命や安全性に大きい欠陥をもたらすのである。
【００１１】
したがって、免震部材を下部基礎上の架台に据付ける工事を行った後、その免震部材の上に建物を建築施工する際に、免震部材が位置ずれや損傷することの無いように保護することが一般的に行われているが、その方法や手段には未だ確立され普及しているようなものは無く、施工業者が独自の方法や手段で行っているのが現状であり、その多くはその場だけの使い捨て方式或いは埋め殺し方式ともいうべきものであった。
【００１２】
そこでこの発明は、架台上に免震部材を据え付ける方法と、据え付けた免震部材が建物建築施工に際して位置ずれや損傷することが無いように仮固定して養生するための方法と、これらの方法の実施に直接使用する治具を提供しようというものである。
【課題を解決するための手段】
【００１３】
本発明は、請求項１によれば、建物の下部基礎が完成する前の捨てコンクリート上に、免震部材を配置すべき所定位置を定めて該所定位置に枠体を高さ及び水平位置を調整して固定し、この枠体内及び前記捨てコンクリート上に適宜の配筋をしてコンクリートを打設し養生することにより下部基礎を完成し、この下部基礎上で一部が露出した前記枠体の上部に捨てベースプレートを高さ及び水平方向の位置調整をして固定する一方、前記枠体を囲む型枠を配置するとともに、前記捨てベースプレートに開設したコンクリート注入孔及び前記型枠内にコンクリートを打設し養生することにより架台を構築した後、前記捨てベースプレート上に免震部材のベースプレートを固定することを特徴とする免震部材据付け方法とした。
【００１４】
また、請求項２によれば、前記請求項１に記載の免震部材据付け方法において、前記枠体は、複数本の支柱を多角形の隅部に配して立設した状態でこれらの支柱を互いに連結部材で連結して枠体を形成し、この枠体の上部に捨てベースプレートを高さ及び水平位置調整可能及び取り外し可能に設けるとともに、前記支柱の下部に長ねじボルトを高さ及び水平位置調整可能に取り付けたアンカーフレームからなることを特徴とする免震部材据付け方法とした。
【００１５】
さらに、請求項３によれば、建物の下部基礎が完成する前の捨てコンクリート上に、免震部材を配置すべき所定位置を定めて該所定位置にアンカーフレームの枠体を高さ及び水平位置を調整して固定し、この枠体内及び前記捨てコンクリート上に適宜の配筋をしてコンクリートを打設し養生することにより下部基礎を完成し、この下部基礎上で一部が露出した前記枠体の上部に捨てベースプレートを高さ及び水平方向の位置調整をして固定する一方、前記枠体を囲む型枠を配置するとともに、前記捨てベースプレートに開設したコンクリート注入孔及び前記型枠内にコンクリートを打設し養生することにより架台を構築した後、前記捨てベースプレート上にすべり支承板を載置し、このすべり支承板上にすべり支承体を有する免震部材を載置した後、この免震部材と前記すべり支承板の少なくとも四隅部とを連結部材で取外し可能に結んで仮固定することを特徴とする免震部材据付け養生方法とした。
【００１６】
また、請求項４によれば、建物の下部基礎が完成する前の捨てコンクリート上に、免震部材を配置すべき所定位置を定めて該所定位置にアンカーフレームの枠体を高さ及び水平位置を調整して固定し、この枠体内及び前記捨てコンクリート上に適宜の配筋をしてコンクリートを打設し養生することにより下部基礎を完成し、この下部基礎上で一部が露出した前記枠体の上部に捨てベースプレートを高さ及び水平方向の位置調整をして固定する一方、前記枠体を囲む型枠を配置するとともに、前記捨てベースプレートに開設したコンクリート注入孔及び前記型枠内にコンクリートを打設し養生することにより架台を構築した後、前記捨てベースプレート上にすべり支承板を載置し、このすべり支承板上にすべり支承体を有する免震部材を載置した後、この免震部材と前記すべり支承板の少なくとも四隅部とを連結部材で取外し可能に結んで仮固定する一方、前記すべり支承板の上面を被覆材で覆うことを特徴とする免震部材据付け養生方法とした。
【００１７】
さらに、請求項５によれば、建物の下部基礎上に構築した架台上に、免震部材を固定して少なくとも建物の下層部が完成するまでの間、当初の設定状態を維持させる免震部材据え付け養生方法において、前記架台の捨てベースプレート上にすべり支承板を載置し、このすべり支承板上にすべり支承体を有する免震部材を載置した後、この免震部材と前記すべり支承板の少なくとも四隅部とを連結部材で取外し可能に結んで仮固定することを特徴とする免震部材据付け養生方法とした。
【００１８】
そして、請求項６によれば、建物の下部基礎上に構築した架台上に、免震部材を固定して少なくとも建物の下層部が完成するまでの間、当初の設定状態を維持させる免震部材据え付け養生方法において、前記架台の捨てベースプレート上にすべり支承板を載置し、このすべり支承板上にすべり支承体を有する免震部材を載置した後、この免震部材と前記すべり支承板の少なくとも四隅部とを連結部材で取外し可能に結んで仮固定する一方、前記すべり支承板の上面を被覆材で覆うことを特徴とする免震部材据付け養生方法とした。
【００１９】
さらに、請求項７によれば、前記請求項３から請求項６に記載の免震部材据付け養生方法の実施に直接使用する器具であって、前記すべり支承板の少なくとも四隅部に取り外し可能に連結するブラケットと、このブラケットと前記免震部材とを取り外し可能に結んでその免震部材を仮固定する連結部材とからなることを特徴とする繰り返し使用可能な免震部材据付け養生用仮固定具とした。
【発明の効果】
【００２０】
本発明は、請求項１又は２によれば、下部基礎の未完成状態で枠体を用いて配筋をするので配筋作業能率が向上するとともに、アンカーフレームの高さや水平調整が自在で捨てベースプレートの水平レベルが精確に出せるので要求精度を満たすことができ、かつ、架台構築作業の工程と手間を省略できてコスト低下をもたらす。
【００２１】
また、請求項３又は４によれば、建物の下部基礎上の架台上で、免震部材がすべり支承板に連結して仮固定されるから、免震部材上に建物を建築施工する際、位置ずれをすることが無く所定の設計位置に精確に保持され、しかも、ベースプレートは被覆材で覆われるから、ベースプレートが損傷を受けることがない。
【００２２】
そして、請求項５又は６によれば、免震部材を据付ける架台は、請求項３又は４に記載のような架台を構築することなく、常道により構築した架台上に据付けて養生する場合に、免震部材がすべり支承板に連結して仮固定されるから、免震部材上に建物を建築施工する際、位置ずれをすることが無く所定の設計位置に精確に保持され、しかも、ベースプレートは被覆材で覆われるから、ベースプレートが損傷を受けることがないという利点を伴う。
【００２３】
さらには、請求項７によれば、養生用仮固定具は取付け取り外し自在であるから、再利用のために繰り返し使用できるほか、養生用仮固定仕様の規格化の可能性をもたらす、という効果が得られる。
【発明を実施するための最良の形態】
【００２４】
本発明の免震部材据付け方法は、架台の構築から始まり、その構築にはアンカーフレームを備えて構成される。実施例１に架台の構築例について説明する。
【００２５】
そして、構築された架台の上にすべり支承免震部材を据付け、その状態を仮固定して養生する。この仮固定は繰り返し使用可能な養生用仮固定具を備えて構成される。実施例２及び実施例３にすべり支承免震部材とその養生用仮固定具について説明する。
【実施例１】
【００２６】
図１及び図２は、本発明における架台構築の一例を示す。初めに、図１（ａ）に示すように、建物の下部基礎の未完成部分としての捨てコンクリートＳｃ上に、前記架台を配置すべき設計位置を、免震部材が配置される部位を中心部とした略正方形等のマーキングをして定めた後、そのマーキング位置に、図２に示すようなアンカーフレーム１の枠体２をセットする。すなわち、図３に示すように、マーキング位置の略正方形の四隅部に当たる部位に、あと施工アンカー穴ｈを穿設し、そのあと施工アンカー穴ｈに枠体２の長ねじボルト３を挿入する。
【００２７】
アンカーフレーム１は、後記する免震部材のベースプレートを載置固定する架台を形成するための直方体形状で、図２に示すように、枠体２と捨てベースプレート４からなる。枠体２は、略正方形の四隅に支柱５を立設し、各支柱５の上部材及び下部を細長板状の補強部材６，６にて互いに連結し、支柱５の天部にはルーズ孔７を有する天板８を連結し、一対の支柱５，５の下部には補強部材６の代わりにアングル状の調整具固定板９で連結し、この調整具固定板９に長ねじボルト３を高さ及び水平位置調整可能に設けて構成される。
【００２８】
捨てベースプレート４は、中心部にコンクリート注入孔１０とその周辺部に空気抜き孔１１を穿設した正方形状の鋼板からなり、支柱５の天板８のルーズ孔７と合致するボルト挿通孔１２が穿設され、その下面側にナット１３が溶接にて結合している。ナット１３の近傍にはスタッドボルト１４が溶接固定され、このスタッドボルト１４はコンクリートと捨てベースプレート４との結合を強固にするための部材である。
【００２９】
捨てベースプレート４は長ねじボルト１５で枠体２と高さ及び水平位置調整可能かつ取り外し可能に連結される。すなわち、天板８のルーズ孔７に、図４に示すように、長ねじボルト１５を挿通してワッシャー１６，１６及びナット１７，１７にて天板８に固定し、長ねじボルト１５の上端部を捨てベースプレート４のナット１３に螺合する。天板８のルーズ孔７の口径は長ねじボルト１５の直径よりも大きく形成しておくことにより、長ねじボルト１５をルーズ孔７内でずらせることができるため、捨てベースプレート４の水平方向の位置調整ができる。
【００３０】
一方、長ねじボルト３は、図５に示すように、ワッシャー１８，１８及びナット１９，１９にて調整具固定板９に固定したもので、ナット１９，１９を緩めたり締め付けることで枠体２を上下させてその位置調整ができる。この場合、長ねじボルト３の直径が調整具固定板９のボルト挿通孔２０の口径よりも小さく形成しておけば、前記長ねじボルト１５と同様に枠体２の水平方向の位置調整ができる。
【００３１】
長ねじボルト３を捨てコンクリートＳｃに穿孔したあと施工アンカー穴ｈに挿入し、モルタルｍを充填して、アンカーフレーム１を固定する。なお、モルタルｍで固定することに代え、樹脂にしたり、インサート金具に代えてもよい。このとき、支柱５をその下部の長ねじボルトを介し高さ方向で、及び、ルーズなボルト挿通孔２０内の長ねじボルト３を水平移動して水平方向で、アンカーフレーム１の全体の高さと水平を調整する。調整後にナット１９，１９を調整具固定板９に締め付けて固定する。なお、この場合、捨てベースプレート４は枠体２から取り外してアンカーフレーム１の上方は開口した状態で行う。
【００３２】
ついで、図１（ｂ）に示すように、下部基礎Ｂｃを完成するための配筋ｔを捨てコンクリートＳｃ上及び枠体２に配置する。このとき、アンカーフレーム１の上方は開口させてあるのでその内部への配筋作業がし易い利点がある。また、支柱５の上部の天板８のルーズ孔７をビニールテープ若しくはガムテープ等の適宜のカバー部材で被覆して生コンクリートが付着しないようにした後、コンクリート打設を行い、かつ、その養生をする。
【００３３】
そして、下部基礎Ｂｃが完成すると、図１（ｃ）に示すように、枠体２の上部は下部基礎Ｂｃの上面から所定高さで剥き出され、配筋ｔとともに突出している。そのため、図１（ｄ）に示すように、捨てベースプレート４のナット１３に一端部を螺入した長ねじボルト１５の他端部を、支柱５の天板８のルーズ孔７に、ワッシャー１６，１６とナット１７，１７を介在させて螺入する。そして、上部ナット１７と下部ナット１７を介し高さ方向で、及び、ルーズ孔７内の長ねじボルト３を水平移動して水平方向で、それぞれ捨てベースプレート２の高さと水平を調整した後、ナット１７，１７を天板８に締め付け固定する。
【００３４】
最後に、図１（ｅ）に示すように、下部基礎Ｂｃの上面から突出している枠体２の周囲に適宜の型枠２１を正方形状に配置し、その型枠２１内に生コンクリートを打設することにより架台Ｋｃを形成する。このとき、捨てベースプレート４のコンクリート注入孔１０から生コンクリートを注入することができる。しかる後、架台Ｋｃを養生する。なお、捨てベースプレート４と架台Ｋｃの上面は、面一の同一レベル、又は、捨てベースプレート４が架台Ｋｃの上面から露出していてもよい。
【実施例２】
【００３５】
図６〜図１１は、本発明における実施例１で構築された架台Ｋｃの上に、剛すべり支承免震部材２２を載せて所定位置に据付け、かつ、その状態を仮固定する養生方法の一例を示す。すなわち、図６及び図７に示すように、架台Ｋｃ上の捨てベースプレート４上に、免震部材のベースプレートであるすべり支承板２３を載置固定し、このすべり支承板２３上の中心部に剛すべり支承体２６が滑り移動可能に載置される。すべり支承板２３上の中心部は前記実施例でマーキングされた正方形の中心部であり、免震部材２２を配置する当初の設計位置である。
【００３６】
免震部材２２はすべり支承構造であって、フランジ部を有する高さ調整鋼管２５の下端部に、端板２４を介して剛すべり支承体２６が連結されてなる。すべり支承板２３は、前記捨てベースプレート４と略同一形状の鋼板からなる補強板２７にステンレス板２８を重ねて一体的に結合したものである。ステンレス板２８は四隅部が三角形に切除されてその部位では補強板２７が露出している。補強板２７の四隅部にはネジ穴２９が穿設されている。すべり支承板２３と捨てベースプレート４との結合は常道により適宜である。
【００３７】
ついで、図８及び図９に示すように、ステンレス板２８の上面を損傷等から保護するために、分割した複数の被覆材３０で被覆し取り外し可能にネジ又は粘着テープにより適宜固定する。被覆材３０はステンレス板２８の上面を均等に４分割した形状であり、剛すべり支承体２４の付近では寄せ集まる角部が切除されている。被覆材３０は、耐水ベニヤ板、プラスチックダンボール、又は、ビニールシート若しくはこれらの複合製品から成るが、要すれば、ステンレス板２８が損傷しないように少なくとも建物の下層部が完成するまで保護できるものであればよく、これらに限定するものではない。。
【００３８】
ついで、免震部材２２を仮固定する。仮固定は、図１０及び図１１に示すように、免震部材２２とすべり支承板２３とを養生用仮固定具３１で連結することにある。養生用仮固定具３１は、免震部材２２の端板２４とすべり支承板２３の四隅部とを結ぶ長さのつなぎ金物３２と、すべり支承板２３の四隅部にネジで固定するブラケット３３とから成る。端板２４に対角線状配置でねじ３５を挿通する透孔３４が穿設されている。つなぎ金物３２は、図１２に示すように、アングル材から成り、その両端部付近に透孔３６，３７が穿設されている。フランジ部２４の透孔３４に下側からねじ３５を挿通し、かつ、連結部材３２の透孔３７から突出するねじ頭に蝶ナット３８を螺合して、図１４に示すように、取付け取り外し可能に連結する。
【００３９】
ブラケット３３は、図１３に示すように、ブラケット３３の座金３９をねじ４０で補強板２７の角部に取り外し可能に固定するもので、図１５及び図１６に示すように、補強板２７の四隅部のネジ穴２９に合致する透孔４１を穿設した座金３９に台座４２を固定し、この台座４２に水平方向の透孔４３を貫通し穿設してある。一方、この透孔４３に挿通する長ねじボルト４４を水平に保持する垂直板４５に、水平板４６を直交して結合してこれを座金３９に対して移動可能に設ける。水平板４６には台座４２を挟む振れ止め部４７が設けられ、かつ、上面には連結部材３２の透孔３６に係合するピン突起４８が突設されている。長ねじボルト４４には台座４２を挟んでダブルナット４９，４９が挿通している。したがって、長ねじボルト４４を回すと垂直板４５と水平板４６は一体として水平方向へ前後移動できるから、取付け位置の調整ができる。
【００４０】
かくして、すべり支承板２３の中心部に位置する免震部材２２が対角線方向で配置される４本のつなぎ金物３２で補強板２７と連結されるので、免震部材２２は滑り支承板２３上を移動することなく保持される。この状態で、免震部材の上部に建物建築施工の諸作業を行う。
【００４１】
建物の少なくとも下層部が完成した段階で、つなぎ金物３２とフランジ部２４及びブラケット３３との連結を、それぞれ取り外し、及び、ステンレス板２８を覆う被覆材３０を取り払うことで、すべり支承体２６はすべり支承板２３上を滑り可能にセットされる。
【００４２】
なお、取り外した養生用仮固定具３１は他の建築現場において上記同様にして何回でも再利用することができる。
【実施例３】
【００４３】
図１７〜図２２は、本発明における実施例１で構築された架台Ｋｃの上に、弾性すべり支承免震部材を載せて所定位置に据付け、かつ、その状態を仮固定する養生方法の一例を示す。
【００４４】
この実施例３は前記実施例２と実質的には同一であって、異なる点は免震部材５０が積層ゴムを用いた弾性すべり支承構造であることである。すなわち、フランジ部を有する高さ調整鋼管２５の下端部の端板２４に、端板５１を介して積層ゴムからなる弾性すべり支承体５２が連結されてなる。弾性すべり支承体５２にはエアークッションシート５３を巻き付けて保護する。エアークッションシート５３は多数の空気袋を形成した合成樹脂シート等の梱包用材料である。
【００４５】
この弾性すべり支承体５２を備えた免震部材５０は積層ゴムの高さだけ前記実施例のものと比べ、端板２４の高さが高くなるため、養生用仮固定具３１では間に合わないので、ブラケット３３に台座５３を履かせるようにした。その他の構成は前記実施例２で説明した事項とすべて同じである。したがって、前記図６から図１６に示す符号と同一符号を用いた部分の重複説明は省略する。
【００４６】
台５３は、図２３に示すように、座金３９と同じ透孔５５を備えた構成の下板５４に所要高さの支持部５６を立設固定し、その支持部５６上に上板５７を載設固定したもので、上板５７には座金３９の透孔４１と合致する透孔５８が穿設され、その下面側ではナット５９が溶接で固定してある。連結部材３２は前記実施例のものの長さでは過不足する場合にその調整ができるものを作成する。
【００４７】
かくして、図２４に示すように、免震部材５０は弾性すべり支承体５２の上部の端板５１とブラケット３３とを結ぶ連結部材３２で、すべり支承板２３の対角線状配置による仮固定により、全方向への移動が規制されて当初の据え付け状態を保持できる。また、すべり支承板２３の上面は被覆材３０にて損傷から保護される。なお、免震部材５０の上方に少なくとも建物の下層部が完成した暁にはこの仮固定が解除され、それらの養生用仮固定具は取り外して他の現場で再利用でき、繰り返し使用できる。
【００４８】
なお、本発明の実施例１により構築した架台Ｋｃは、剛・弾性すべり支承免震部材の設置にのみ適当するものではなく、積層ゴム又は復元ゴムなどのすべり支承を含まない免震部材の据付けにも適用できるものである。
【００４９】
また、実施例２，３に記載の据付け養生方法は、架台Ｋｃの場合に限定されることなく、従来又は通常の架台構築方法（常道方法）にて作成された架台に免震部材を据え付ける際の据付け養生方法として利用できる。
【図面の簡単な説明】
【００５０】
【図１】(ａ)〜(ｆ)は本発明の実施例１における架台構築例を示す工程図。
【図２】アンカーフレームを示す斜視図。
【図３】アンカーフレームの設置状態を示す架台構築の初期工程図。
【図４】アンカーフレームの上部に固定する捨てベースプレートの高さ及び水平位置調整可能な構成を示す側面図。
【図５】アンカーフレームの高さ及び水平位置調整可能な構成を示す側面図。
【図６】本発明の実施例２における免震部材養生方法の第１工程図。
【図７】図６の平面図。
【図８】本発明の実施例２における免震部材養生方法の第２工程図。
【図９】図８の平面図。
【図１０】本発明の実施例２における免震部材養生方法の第３工程図。
【図１１】図１０の平面図。
【図１２】本発明の実施例２における免震部材養生方法の実施に直接使用する養生用仮固定具の一部の平面図。
【図１３】本発明の実施例２における免震部材養生方法の実施に直接使用する養生用仮固定具の連結関係を示す側面断面図。
【図１４】本発明の実施例２における免震部材養生方法の実施に直接使用する養生用仮固定具の連結関係を示す側面断面図。
【図１５】本発明の実施例２における免震部材養生方法の実施に直接使用する養生用仮固定具の、（ａ）は連結関係構造側面図、（ｂ）は連結関係構造平面図、（ｃ）は要部側面図、（ｄ）は要部平面図。
【図１６】本発明の実施例２における免震部材養生方法の実施に直接使用する養生用仮固定具の、（ａ）は要部側面図、（ｂ）は要部平面、（ｃ）は要部側面図、（ｄ）は要部平面図。
【図１７】本発明の実施例３における免震部材養生方法の第１工程図。
【図１８】図１７の平面図。
【図１９】本発明の実施例３における免震部材養生方法の第２工程図。
【図２０】図１９の平面図。
【図２１】本発明の実施例３における免震部材養生方法の第３工程図。
【図２２】図２１の平面図。
【図２３】本発明の実施例３における免震部材養生方法の実施に直接使用する養生用仮固定具の、（ａ）は連結関係構造側面図、（ｂ）は連結関係構造平面図、（ｃ）は一部切欠平面図、（ｄ）は要部側面図、（ｅ）は要部平面図及び（ｆ）は要部正面図。
【図２４】本発明の実施例３における免震部材養生方法の工程完成図。
【符号の説明】
【００５１】
Ｓｃ…捨てコンクリート
Ｂｃ…下部基礎
ｔ…配筋
ｈ…あと施工アンカー穴
１…アンカーフレーム
２…枠体
３…長ねじボルト
４…捨てベースプレート
５…支柱
６…補強部材
７…ルーズ孔
８…天板
９…調整具固定板
１０…コンクリート注入孔
１１…空気抜孔
１２…透孔
１３…ナット
１４…スタッドボルト
１５…長ねじボルト
２１…型枠
２２，５０…免震部材
２３…すべり支承板
２４…端板
２５…鋼管
２６…剛すべり支承体
２７…補強板
２８…ステンレス板
２９…透孔
３０…被覆材
３１…養生用仮固定具
３２…連結部材
３３…ブラケット
５１…端板
５２…弾性すべり支承体
５３…台座
【図１】
2005048523.tif 000003
【図２】
2005048523.tif 000004
【図３】
2005048523.tif 000005
【図４】
2005048523.tif 000006
【図５】
2005048523.tif 000007
【図６】
2005048523.tif 000008
【図７】
2005048523.tif 000009
【図８】
2005048523.tif 000010
【図９】
2005048523.tif 000011
【図１０】
2005048523.tif 000012
【図１１】
2005048523.tif 000013
【図１２】
2005048523.tif 000014
【図１３】
2005048523.tif 000015
【図１４】
2005048523.tif 000016
【図１５】
2005048523.tif 000017
【図１６】
2005048523.tif 000018
【図１７】
2005048523.tif 000019
【図１８】
2005048523.tif 000020
【図１９】
2005048523.tif 000021
【図２０】
2005048523.tif 000022
【図２１】
2005048523.tif 000023
【図２２】
2005048523.tif 000024
【図２３】
2005048523.tif 000025
【図２４】
2005048523.tif 000026